(57)【要約】【課題】  ハウジングを密閉構造としても、遮断器の切り離しおよび負荷側の接地を容易に実現する。【解決手段】  系統電源から負荷への電力供給を遮断する遮断器２１と、その遮断器２１を断接する断接機構部２２と、遮断器２１の断路時に負荷側を接地する接地機構部２３とをハウジング２４に収容した受変電設備において、遮断器２１をハウジング２４内部に固定配置し、断接機構部２２を遮断器２１の背後でその遮断器２１に対して断接可能なようにスライド自在に配置すると共に、接地機構部２３を断接機構部２２の背後でその断接機構部２２に対して接地可能なようにスライド自在に配置し、断接機構部２２および接地機構部２３の二本のスライド軸３９，４０をハウジング２４前面から外部へ導出する。【選択図】    図１
2012019650.tif 000002
【特許請求の範囲】
【請求項１】
系統電源から負荷への電力供給を遮断する遮断器と、前記遮断器を断接する断接機構部と、前記遮断器の断路時に負荷側を接地する接地機構部とをハウジングに収容した受変電設備において、前記遮断器をハウジング内部に固定配置し、前記断接機構部を遮断器の背後でその遮断器に対して断接可能なようにスライド自在に配置すると共に、前記接地機構部を断接機構部の背後でその断接機構部に対して接地可能なようにスライド自在に配置し、前記断接機構部および接地機構部の二本のスライド軸をハウジング前面から外部へ導出したことを特徴とする受変電設備。
【請求項２】
前記断接機構部による遮断器の断路時のみに前記接地機構部により負荷側を接地可能とするインターロック機構部を、断接機構部および接地機構部の前記スライド軸とハウジングとの間に設けた請求項１に記載の受変電設備。
【請求項３】
前記インターロック機構部は、断接機構部による遮断器の断路時に前記断接機構部のスライド軸に設けられた孔に嵌入する第一のロックピンと、接地機構部による負荷側の接地時に前記接地機構部のスライド軸に設けられた孔に嵌入する第二のロックピンとを、ハウジング側に設けた請求項２に記載の受変電設備。
【請求項４】
前記ハウジングは密閉筐体で構成され、前記スライド軸は、密閉筐体前面にＯリングを介して固着した取り付け板により気密的に封止された状態で密閉筐体前面に対して突出退入自在に支持されている請求項１〜３のいずれか一項に記載の受変電設備。
【請求項５】
前記遮断器の前面に設けられた入切用押しボタンスイッチと対応する密閉筐体の前面部位に、押え板によりＯリングを介して気密的に封止された状態で押圧部材を前記押しボタンスイッチに当接可能に取り付けた請求項４に記載の受変電設備。
【発明の詳細な説明】
【技術分野】
【０００１】
本発明は、ビルや工場などに設置され、遮断器、断路器、変流器、母線や導体などの各種エレメントをハウジングに収容したスイッチギヤなどの受変電設備に関する。
【背景技術】
【０００２】
例えば、ビルや工場などに設置される受変電設備には、系統電源から負荷への電力供給を遮断する遮断器（ＶＣＢ）を収容したハウジングとその他の機器から構成されたスイッチギヤがある。この種のスイッチギヤは、図９に示すように、系統電源から負荷への電力供給を遮断する遮断器１と、その遮断器１を断接する断接機構部２とからなる主要部をハウジング３に収容した構造を具備する。
【０００３】
遮断器１の背面には、系統側接触子４および負荷側接触子５が設けられている。この遮断器１は、台車６上に載置されてハウジング３の前後方向（図示左右方向）に移動可能となっている。一方、遮断器１の背後に配置された断接機構部２は、ハウジング３の底部に起立保持された支持フレーム７に系統側導体８および負荷側導体９が取り付けられている。系統側導体８は遮断器１の系統側接触子４と断接可能に配置され、また同様に、負荷側導体９は遮断器１の負荷側接触子５と断接可能に配置されている。この系統側導体８には系統母線（図示せず）が接続されており、負荷側導体９には各種電気設備からなる負荷（図示せず）が接続されている。
【０００４】
図９は、遮断器１を断接機構部２を介して系統電源と負荷との間に接続した状態、つまり、遮断器１の系統側接触子４と断接機構部２の系統側導体８とを電気的に接続すると共に、遮断器１の負荷側接触子５と断接機構部２の負荷側導体９とを電気的に接続した状態を示す。ここで、遮断器１を含む他の電気設備の点検あるいは交換時には、遮断器自体をオフするだけでなく、系統電源と負荷との間を確実に遮断するため、断接機構部２から遮断器１を切り離して断路状態にする必要がある。
【０００５】
そこで、図９に示すように先端部が屈曲したクランク棒１０を利用することにより、遮断器１を断接機構部２から切り離す（例えば、特許文献１参照）。つまり、遮断器１の台車６に設けられた枠状の係止部１１にクランク棒１０の屈曲部分を挿通させた上で、その先端部を支点としてクランク棒１０を下方へ回動させることにより、「接続位置」にある遮断器１をハウジング３の前方開口部から「断路位置」まで引き出す（図１０参照）。このようにして遮断器１を台車６ごと「接続位置」から「断路位置」まで移動させることにより、断接機構部２の系統側導体８から遮断器１の系統側接触子４を引き抜くと共に、断接機構部２の負荷側導体９から遮断器１の負荷側接触子５を引き抜く。これによって、遮断器１を系統電源と負荷との間から分離する。
【０００６】
この遮断器１を含む他の電気設備の点検あるいは交換時には、一般的に負荷側を接地するようにしている。この負荷側の接地は、アースフック治具１２を利用することにより人手で行われる。このアースフック治具１２は、絶縁棒１３の先端に導電性クリップ１４が設けられ、その導電性クリップ１４から延びる導電線１５を大地に接続したものである。このアースフック治具１２を利用して負荷側を接地するに際しては、作業者が絶縁棒１３を把持した状態でハウジング３の後方開口部から挿入し、絶縁棒１３の先端の導電性クリップ１４を断接機構部２の負荷側導体９に接続する。このようにして、断接機構部２の負荷側導体９がアースフック治具１２の導電性クリップ１４および導電線１５を介して接地される。
【０００７】
なお、遮断器１を含む他の電気設備の点検あるいは交換が完了した後は、アースフック治具１２を断接機構部２の負荷側導体９から取り外した上で、クランク棒１０を上方へ回動させることにより、遮断器１を「断路位置」から「接続位置」へ移動させ、遮断器１の系統側接触子４を断接機構部２の系統側導体８に差し込むと共に、遮断器１の負荷側接触子５を断接機構部２の負荷側導体９に差し込む。このようにして、遮断器１の系統側および負荷側接触子４，５と断接機構部２の系統側および負荷側導体８，９とを電気的に接続することにより、遮断器１を接続状態に復帰させるようにしている。
【先行技術文献】
【特許文献】
【０００８】
【特許文献１】特開２０００−３４１８１３号公報
【発明の概要】
【発明が解決しようとする課題】
【０００９】
ところで、前述した従来のスイッチギヤでは、遮断器１を含む他の電気設備の点検あるいは交換時、ハウジング３に対して前後方向に可動配置された遮断器１をハウジング３の前方へ引き出す必要があるため、ハウジング３はその前方が開放した構造を備えている。また、負荷側の接地に際してアースフック治具１０をハウジング３の後方から断接機構部２に接続する必要があるため、ハウジング３はその後方も開放した構造を備えている。
【００１０】
しかしながら、前述したスイッチギヤは屋外に設置される場合もある。その場合、粉塵や雨水などの異物がハウジング３内に侵入することにより、接触不良や腐食が発生し易くなり、メンテナンスに手間がかかることになる。そのため、粉塵や雨水などの異物が侵入しないようにハウジング３を密閉構造とすることが要望されている。このハウジング３を密閉構造とした場合、遮断器１を含む他の電気設備の点検あるいは交換時、外部からの操作により遮断器１を断接機構部２から切り離すことが困難である。また、負荷側の接地をアースフック治具１０で行うことも困難である。
【００１１】
そこで、本発明は前述した課題に鑑みて提案されたもので、その目的とするところは、ハウジングを密閉構造としても、遮断器の切り離しおよび負荷側の接地を容易に実現し得る受変電設備を提供することにある。
【課題を解決するための手段】
【００１２】
前述の目的を達成するための技術的手段として、本発明は、系統電源から負荷への電力供給を遮断する遮断器と、その遮断器を断接する断接機構部と、遮断器の断路時に負荷側を接地する接地機構部とをハウジングに収容した受変電設備において、遮断器をハウジング内部に固定配置し、断接機構部を遮断器の背後でその遮断器に対して断接可能なようにスライド自在に配置すると共に、接地機構部を断接機構部の背後でその断接機構部に対して接地可能なようにスライド自在に配置し、断接機構部および接地機構部の二本のスライド軸をハウジング前面から外部へ導出したことを特徴とする。
【００１３】
本発明では、断接機構部のスライド軸をハウジング前面から手前に引き出すことにより、ハウジング内部に固定配置された遮断器に対して断接機構部を近接させて遮断器と断接機構部とを電気的に接続する。この遮断器を系統電源と負荷との間に接続した状態では、接地機構部のスライド軸をハウジング前面側へ押し込むことにより、断接機構部に対して接地機構部を離隔させて負荷側を非接地状態とする。
【００１４】
一方、遮断器を含む他の電気設備の点検あるいは交換時には、断接機構部のスライド軸をハウジング前面側へ押し込むことにより、遮断器から断接機構部を離隔させて遮断器と断接機構部とを電気的に遮断する。この遮断器の断路状態では、接地機構部のスライド軸をハウジング前面から手前に引き出すことにより、断接機構部に対して接地機構部を近接させて断接機構部と接地機構部とを電気的に接続して負荷側を接地する。このような構造とすることにより、ハウジング外部からのスライド軸の操作により遮断器の切り離しおよび負荷側の接地を容易に行うことができ、ハウジングの密閉構造化が可能となる。
【００１５】
本発明において、断接機構部による遮断器の断路時のみに接地機構部により負荷を接地可能とするインターロック機構部を、断接機構部および接地機構部のスライド軸とハウジングとの間に設けた構造が望ましい。このようにすれば、断接機構部による遮断器の断路時のみに接地機構部により負荷側を接地するために、断接機構部および接地機構部のスライド軸を操作する上で、そのスライド軸の誤操作および短絡事故の発生を未然に防止することができて安全性の向上が図れる。
【００１６】
本発明におけるインターロック機構部は、断接機構部による遮断器の断路時に断接機構部のスライド軸に設けられた孔に嵌入する第一のロックピンと、接地機構部による負荷側の接地時に接地機構部のスライド軸に設けられた孔に嵌入する第二のロックピンとを、ハウジング側に設けた構造が望ましい。このようにすれば、遮断器を含む他の電気設備の点検あるいは交換に際して、第一のロックピンを断接機構部のスライド軸の孔に嵌入させることにより断接機構部による遮断器の断路状態を維持することができる。この時、第二のロックピンを接地機構部のスライド軸の孔に嵌入させることにより、接地機構部による負荷側の接地状態を維持することができる。このような簡単な構造により、スライド軸の誤操作および短絡事故の発生を確実に防止できる。
【００１７】
本発明におけるハウジングを密閉筐体で構成した場合、スライド軸は、密閉筐体前面にＯリングを介して固着した取り付け板により気密的に封止された状態で密閉筐体前面に対して突出退入自在に支持されている構造が望ましい。このようにすれば、ハウジング外部からのスライド軸の操作を可能とした上でハウジングの気密性をＯリングで確保することが容易となる。
【００１８】
本発明において、遮断器の前面に設けられた入切用押しボタンスイッチと対応する密閉筐体の前面部位に、押え板によりＯリングを介して気密的に封止された状態で押圧部材を押しボタンスイッチに当接可能に取り付けた構造が望ましい。このようにすれば、ハウジング外部から遮断器の入切用押しボタンスイッチの操作を可能とした上でハウジングの気密性をＯリングで確保することが容易となる。
【発明の効果】
【００１９】
本発明によれば、遮断器をハウジング内部に固定配置し、断接機構部を遮断器の背後でその遮断器に対して断接可能なようにスライド自在に配置すると共に、接地機構部を断接機構部の背後でその断接機構部に対して接地可能なようにスライド自在に配置し、断接機構部および接地機構部の二本のスライド軸をハウジング前面から外部へ導出したことにより、ハウジング外部からのスライド軸の操作により遮断器の切り離しおよび負荷側の接地を容易に行うことができ、ハウジングの密閉構造化が可能となる。その結果、粉塵や雨水等に晒される悪環境でも受変電設備を設置することができ、信頼性の高い長寿命の受変電設備を提供できる。
【図面の簡単な説明】
【００２０】
【図１】本発明の実施形態で、（Ａ）は密閉形スイッチギヤの主要な構成を示す断面図、（Ｂ）は遮断器の接続状態でのインターロック機構部およびスライド軸を示す平面図である。
【図２】（Ａ）は遮断器の系統側および負荷側接触子から断接機構部の系統側および負荷側導体を引き抜いた後の状態を示す断面図、（Ｂ）は（Ａ）の状態でのインターロック機構部およびスライド軸を示す平面図である。
【図３】（Ａ）は遮断器の断路状態を示す断面図、（Ｂ）は（Ａ）の状態でのインターロック機構部およびスライド軸を示す平面図である。
【図４】（Ａ）は接地機構部の接地接触子を断接機構部の接地導体に差し込む前の状態を示す断面図、（Ｂ）は（Ａ）の状態でのインターロック機構部およびスライド軸を示す平面図である。
【図５】（Ａ）は接地機構部の接地接触子を断接機構部の接地導体に差し込んだ後の状態を示す断面図、（Ｂ）は（Ａ）の状態でのインターロック機構部およびスライド軸を示す平面図である。
【図６】図１のＸ部の拡大断面図である。
【図７】図１の密閉形スイッチギヤのハウジングを示す左側面図である。
【図８】図１のＹ部の拡大断面図で、（Ａ）は押圧部材を押し込んだ状態を示す断面図、（Ｂ）は押圧部材の押し込み力を解除した状態を示す断面図である。
【図９】従来のスイッチギヤで、遮断器の接続状態を示す断面図である。
【図１０】従来のスイッチギヤで、遮断器の断路状態を示す断面図である。
【発明を実施するための形態】
【００２１】
本発明に係る受変電設備の実施形態を以下に詳述する。なお、以下の実施形態では、ビルや工場などに設置され、系統電源から負荷への電力供給を遮断する遮断器（ＶＣＢ）をハウジングに収容したスイッチギヤを例示するが、スイッチギヤ以外の他の受変電設備にも適用可能である。
【００２２】
この実施形態におけるスイッチギヤは、図１（Ａ）に示すように、系統電源から負荷への電力供給を遮断する遮断器（ＶＣＢ）２１と、その遮断器２１を断接する断接機構部２２と、遮断器２１の断路時に負荷側を接地する接地機構部２３とからなる主要部を密閉形ハウジング２４に収容した構造を具備する。
【００２３】
遮断器２１は、ハウジング２４の内部に固定配置され、その背面に系統側接触子２５および負荷側接触子２６が設けられている。この遮断器２１が収容されたハウジング２４は密閉筐体で構成されているが、遮断器２１の点検あるいは交換が可能なように前面開口部２７が設けられ、その前面開口部２７を気密的に閉塞するカバー２８が着脱自在に取り付けられている（図７参照）。
【００２４】
また、断接機構部２２は、遮断器２１の背後でその遮断器２１に対して断接可能なように台車２９によりスライド自在に配置されている。この断接機構部２２は、台車２９上に起立保持された絶縁性の支持フレーム３０に系統側導体３１および負荷側導体３２が取り付けられている。系統側導体３１は遮断器２１の系統側接触子２５と断接可能に配置され、また同様に、負荷側導体３２は遮断器２１の負荷側接触子２６と断接可能に配置されている。この系統側導体３１には、断接機構部２２がスライド可能なように可撓性導体３３を介して系統母線（図示せず）が接続されており、負荷側導体３２には、断接機構部２２がスライド可能なように可撓性導体３４を介して各種電気設備からなる負荷（図示せず）が接続されている。
【００２５】
さらに、接地機構部２３は、断接機構部２２の背後でその断接機構部２２に対して断接可能なように台車３５によりスライド自在に配置されている。この接地機構部２３は、台車３５上に起立保持された絶縁性の支持フレーム３６に接地接触子３７が設けられている。これに対して、前述の断接機構部２２の負荷側導体３２には、接地機構部２３の接地接触子３７と断接可能な接地導体３８が設けられている。なお、この台車３５上に設けられた接地接触子３７は、大地と電気的に接続されている。
【００２６】
前述した断接機構部２２および接地機構部２３は、台車２９，３５の前端部からハウジング２４の前方に向けて延びるスライド軸３９，４０を備えている。この断接機構部２２および接地機構部２３の二本のスライド軸３９，４０は、スライドブッシュ４１で支持された状態でハウジング２４の前面底部から水平方向で平行して外部へ導出される（図７参照）。スライド軸３９，４０のそれぞれは、図１（Ｂ）および図６に示すように、ハウジング２４の前面底部に形成された孔に挿通され、Ｏリング４２を介してボルト４３で固着した取り付け板４４により気密的に封止された状態でハウジング２４の前面底部に対して突出退入自在に支持されている。
【００２７】
このような構造により、ハウジング２４の外部からのスライド軸３９，４０の操作を可能とした上でハウジング２４の気密性をＯリング４２で確保している。また、このような構造でスライド軸３９，４０をハウジング２４の外部へ導出したことにより、ハウジング２４の外部からのスライド軸３９，４０の操作により遮断器２１の切り離しおよび負荷側の接地を容易に行うことができ、ハウジング２４の密閉構造化が可能となる。
【００２８】
このスイッチギヤでは、図１（Ｂ）に示すように、断接機構部２２による遮断器２１の断路時のみに接地機構部２３により負荷側を接地可能とするインターロック機構部４６を、断接機構部２２および接地機構部２３のスライド軸３９，４０とハウジング２４との間に設けている。
【００２９】
このインターロック機構部４６は、図１（Ｂ）に示すように、ハウジング２４の前面底部で二本のスライド軸３９，４０間に位置する部位から前方へスライド軸３９，４０と平行して延びる支持ロッド４７を備え、その支持ロッド４７の基端部および先端部の二箇所に、支持ロッド４７が延びる方向と直交するように第一のロックピン４８および第二のロックピン４９が水平方向に貫挿されている。第一のロックピン４８および第二のロックピン４９は、支持ロッド４７との間に張設されたばね５０，５１により接地機構部２３のスライド軸４０側へ弾性力が付勢されている。
【００３０】
なお、断接機構部２２のスライド軸３９の先端部には、第一のロックピン４８が嵌入可能な孔５２が軸線と直交するように水平方向に形成されている。また、接地機構部２３のスライド軸４０の先端部には、第一のロックピン４８あるいは第二のロックピン４９が嵌入可能な孔５３が軸線と直交するように水平方向に形成されている。さらに、断接機構部２２のスライド軸３９および接地機構部２３のスライド軸４０の最先端部には、後述するクランク棒６１を挿通させるための孔５４，５５が垂直方向に貫通形成されている。これに対して、ハウジング２４が載置されたベース５６上の二箇所（「接続位置」と「接地位置」）に、クランク棒６１を挿入して支点として回動させるための凹部５７，５８が形成された支持台５９，６０が設置されている。
【００３１】
また、このスイッチギヤでは、ハウジング２４を密閉筐体で構成していることから、図１および図８（Ａ）（Ｂ）に示すように、遮断器２１の前面に設けられた入切用押しボタンスイッチ６２と対応するハウジング２４の前面部位であるカバー２８に、押え板６３によりＯリング６４を介して気密的に封止された状態で押圧部材６５を押しボタンスイッチ６２に当接可能に取り付けた構造を具備する。この押圧部材６５は、ハウジング２４のカバー２８に貫通されたロッド部６６と、そのロッド部６６のハウジング内部側端部に設けられた大径部６７と、ロッド部６６のハウジング外部側端部に設けられたフランジ部６８とで構成され、Ｏリング６４の押え板６３とフランジ部６８との間にばね６９が介挿されている。
【００３２】
図８（Ａ）に示すように、この押圧部材６５のフランジ部６８をばね６９の弾性力に抗して押し込むことにより、その押圧部材６５の先端部を遮断器２１の入切用押しボタンスイッチ６２に当接させることで遮断器２１をオンオフすることができる。なお、図８（Ｂ）に示すように、押圧部材６５の押し込み力を解除すれば、ばね６９の弾性力により押圧部材６５の大径部６７がカバー２８の内面に係止されることで初期状態に自動復帰する。このような構造により、ハウジング２４の外部から遮断器２１の入切用押しボタンスイッチ６２の操作を可能とした上でハウジング２４の気密性をＯリング６４で確保している。
【００３３】
図１は、遮断器２１を断接機構部２２を介して系統電源と負荷との間に接続した状態、つまり、遮断器２１の系統側接触子２５と断接機構部２２の系統側導体３１とを電気的に接続すると共に、遮断器２１の負荷側接触子２６と断接機構部２２の負荷側導体３２とを電気的に接続した状態を示す。この遮断器２１の接続状態では、断接機構部２２の系統側導体３１および負荷側導体３２が「接続位置」にある。この時、接地機構部２３の接地接触子３７は、「接地解除位置」にあって負荷側が非接地状態である。
【００３４】
インターロック機構部４６では、図１（Ｂ）に示すように、断接機構部２２のスライド軸３９はその孔５２が第二のロックピン４９と並ぶ「接続位置」にある。一方、接地機構部２３のスライド軸４０はその孔５３に第一のロックピン４８が挿入された「接地解除位置」にある。この第一のロックピン４８はばね５０の弾性力によりスライド軸４０の孔５３に挿入された状態を保持する。この第一のロックピン４８により接地機構部２３のスライド軸４０を「接地解除位置」に維持できることから、遮断器２１の接続状態で負荷側を接地するようなスライド軸４０の誤操作および短絡事故の発生を防止することができるので安全性の向上が図れる。
【００３５】
遮断器２１を含む他の電気設備の点検あるいは交換時には、遮断器２１自体をオフするだけでなく、系統電源と負荷との間を確実に遮断するため、遮断器２１から断接機構部２２を切り離して断路状態にする。また、この遮断器２１を断路状態にすると共に負荷側を接地状態にする。遮断器２１を接続状態から断路状態に移行させ、負荷側を非接地状態から接地状態に移行させる操作は以下のとおりである。なお、この操作に先立って、ハウジング２４のカバー２８にある押圧部材６５のフランジ部６８をばね６９の弾性力に抗して押し込むことにより、その押圧部材６５の先端部を遮断器２１の入切用押しボタンスイッチ６２に当接させることで遮断器２１をオフする〔図８（Ａ）（Ｂ）参照〕。
【００３６】
このように遮断器２１自体をオフした上で、直状のクランク棒６１を利用することにより遮断器２１から断接機構部２２を切り離す。つまり、図２（Ａ）（Ｂ）に示すように、クランク棒６１の先端を断接機構部２２のスライド軸３９の孔５４に挿通させて「接続位置」にある支持台５９の凹部５７に差し込む〔図２（Ａ）破線参照〕。そして、クランク棒６１の先端を支点としてそのクランク棒６１をハウジング側へ回動させることにより〔図２（Ａ）実線参照〕、遮断器２１の系統側接触子２５から断接機構部２２の系統側導体３１を引き抜くと共に遮断器２１の負荷側接触子２６から断接機構部２２の負荷側導体３２を引き抜く。
【００３７】
このようにして遮断器２１の系統側および負荷側接触子２５，２６から断接機構部２２の系統側および負荷側導体３１，３２を引き抜いた後は、断接機構部２２が台車２９上に載置されていることから容易に移動可能であるため、図３（Ａ）（Ｂ）に示すように、断接機構部２２のスライド軸３９を手でハウジング側に押し込むことにより、断接機構部２２を「接続位置」から「断路位置」まで移動させる。これによって、遮断器２１を系統電源と負荷との間から分離する。このようなスライド軸３９の操作により断接機構部２２を遮断器２１から引き離して「断路位置」に配置した上で、断接機構部２２の接地導体３８と接地機構部２３の接地接触子３７とを電気的に接続することにより負荷側を接地する。この負荷側の接地操作は次のとおりである。
【００３８】
まず、図４（Ａ）（Ｂ）に示すように、インターロック機構部４６の第一のロックピン４８を、ばね５０の弾性力に抗して支持ロッド４７に押し込むことにより接地機構部２３のスライド軸４０の孔５３から抜脱すると共に断接機構部２２のスライド軸３９の孔５２に挿入する。このスライド軸４０のロック解除により、接地機構部２３が移動可能となるので「接地解除位置」にあるスライド軸４０を手でハウジング２４の前方へ引き出し、そのスライド軸４０の孔５３を第二のロックピン４９の手前に配置する。ここで、断接機構部２２のスライド軸３９の孔５２に挿入された第一のロックピン４８は、引き出された接地機構部２３のスライド軸４０に当接して規制されるので、第一のロックピン４８がばね５０の弾性力に抗して断接機構部２２のスライド軸３９の孔５２に挿入される。
【００３９】
その上で、図５（Ａ）（Ｂ）に示すように、クランク棒６１の先端を接地機構部２３のスライド軸４０の孔５５に挿通させて「接地位置」にある支持台６０の凹部５８に差し込む〔図５（Ａ）破線参照〕。そして、クランク棒６１の先端を支点としてそのクランク棒６１をハウジングと反対側へ回動させることにより〔図５（Ａ）実線参照〕、断接機構部２２の接地導体３８に接地機構部２３の接地接触子３７を差し込む。このようにして、接地機構部２３を「接地解除位置」から「接地位置」まで移動させることにより、断接機構部２２の接地導体３８と接地機構部２３の接地接触子３７とを電気的に接続することで負荷側を接地する。
【００４０】
インターロック機構部４６では、第二のロックピン４９をばね５１の弾性力に抗して支持ロッド４７に押し込んでおけば、スライド軸４０が「接地位置」に達した時点で、図５（Ｂ）に示すように、第二のロックピン４９がばね５１の弾性復元力によりスライド軸４０の孔５３に自動的に挿入される。この時、第一のロックピン４８は接地機構部２３のスライド軸４０に当接していることによりばね５０の弾性力に抗して断接機構部２２のスライド軸３９の孔５２に挿入された状態を維持していることから、この第一のロックピン４８により断接機構部２２のスライド軸３９を「断路位置」にロックする。これにより、負荷側の接地状態で遮断器２１を接続するようなスライド軸３９の誤操作および短絡事故の発生を防止することができるので安全性の向上が図れる。
【００４１】
遮断器２１を含む他の電気設備の点検あるいは交換が完了した後は、インターロック機構部４６の第二のロックピン４９をばね５１の弾性力に抗して支持ロッド４７に押し込むことにより接地機構部２３のスライド軸４０の孔５３から抜脱する。このスライド軸４０のロック解除により、接地機構部２３が移動可能となるので接地位置にあるスライド軸４０の孔５５にクランク棒６１の先端を挿通させてその「接地位置」にある支持台６０の凹部５８に差し込む〔図５（Ａ）実線参照〕。そして、クランク棒６１の先端を支点としてそのクランク棒６１をハウジング側へ回動させることにより〔図５（Ａ）破線参照〕、断接機構部２２の接地導体３８から接地機構部２３の接地接触子３７を引き抜く〔図４（Ａ）参照〕。
【００４２】
このようにして断接機構部２２の接地導体３８から接地機構部２３の接地接触子３７を引き抜いた後は、接地機構部２３が台車３５上に載置されていることから容易に移動可能であるため、接地機構部２３のスライド軸４０を手でハウジング２４に押し込むことにより、接地機構部２３の接地接触子３７を「接地位置」から「接地解除位置」まで移動させる。これによって、負荷側を非接地状態となる。インターロック機構部４６では、接地機構部２３のスライド軸４０の孔５３が「接地解除位置」に達すると、そのスライド軸４０に当接していた第一のロックピン４８がばね５０の弾性復元力により断接機構部２２のスライド軸３９の孔５２から抜脱して接地機構部２３のスライド軸４０の孔５３に自動的に挿入される〔図３（Ｂ）参照〕。このスライド軸４０のロックにより、接地機構部２３を「接地解除位置」に保持する。
【００４３】
このようにして第一のロックピン４８が断接機構部２２のスライド軸３９の孔５２から抜脱されると、その第一のロックピン４８によるロック状態が解除されて断接機構部２２が移動可能となるので「断路位置」にあるスライド軸３９を手でハウジング２４の前方へ引き出す。一方、第一のロックピン４８がばね５０の弾性力により接地機構部２３のスライド軸４０の孔５３に挿入されているので、そのスライド軸４０はロック状態を維持する〔図２（Ｂ）参照〕。
【００４４】
その上で、クランク棒６１の先端を断接機構部２２のスライド軸３９の孔５４に挿通させて「接続位置」にある支持台５９の凹部５７に差し込む〔図２（Ａ）実線参照〕。そして、クランク棒６１の先端を支点としてそのクランク棒６１をハウジングと反対側へ回動させることにより〔図２（Ａ）破線参照〕、遮断器２１の系統側接触子２５に断接機構部２２の系統側導体３１を差し込むと共に遮断器２１の負荷側接触子２６に断接機構部２２の負荷側導体３２を差し込む。このようにして、断接機構部２２が「断路位置」から「接続位置」まで移動させることによって、遮断器２１の系統側および負荷側接触子２５，２６と断接機構部２２の系統側および負荷側導体３１，３２とを電気的に接続する。これにより、遮断器２１を系統電源と負荷との間に接続した状態に復帰させる。
【００４５】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００４６】
２１  遮断器
２２  断接機構部
２３  接地機構部
２４  ハウジング
３９，４０  スライド軸
４２  Ｏリング
４５  取り付け板
４６  インターロック機構部
４８  第一のロックピン
４９  第二のロックピン
６２  入切用押しボタンスイッチ
６３  押え板
６４  Ｏリング
６５  押圧部材
【図１】
2012019650.tif 000003
【図２】
2012019650.tif 000004
【図３】
2012019650.tif 000005
【図４】
2012019650.tif 000006
【図５】
2012019650.tif 000007
【図６】
2012019650.tif 000008
【図７】
2012019650.tif 000009
【図８】
2012019650.tif 000010
【図９】
2012019650.tif 000011
【図１０】
2012019650.tif 000012